【手続補正書】
【提出日】令和3年1月18日(2021.1.18)
【手続補正１】
【補正対象書類名】明細書
【補正対象項目名】発明の名称
【補正方法】変更
【補正の内容】
【発明の名称】サーバ装置、記録媒体、情報処理システム、クライアント端末及び情報処理方法
【手続補正２】
【補正対象書類名】明細書
【補正対象項目名】０００１
【補正方法】変更
【補正の内容】
【０００１】
本発明は、サーバ装置、記録媒体、情報処理システム、クライアント端末及び情報処理方法に関する。
【手続補正３】
【補正対象書類名】明細書
【補正対象項目名】０００５
【補正方法】変更
【補正の内容】
【０００５】
本発明は上記のような実情に鑑みてなされたもので、その目的とするところは、ある情報のデジタル署名を作成した第２サーバ装置よりその情報とデジタル署名とを受信可能な情報端末と通信可能な別のサーバ装置が、その情報端末を含む外部機器より受信した情報の真偽に応じて、その外部機器に対して適切な情報を提供することができるサーバ装置、記録媒体、情報処理システム、クライアント端末及び情報処理方法を提供することにある。
【手続補正４】
【補正対象書類名】明細書
【補正対象項目名】０００６
【補正方法】変更
【補正の内容】
【０００６】
本発明の一態様は、クライアント端末から受信した第１情報を用いてデジタル署名を生成する第２サーバ装置から送信された前記デジタル署名を受信して前記第１情報とともに送信する前記クライアント端末、と通信可能なサーバ装置であって、前記クライアント端末より送信された前記第１情報と前記デジタル署名とを受信し、受信した前記第１情報と前記デジタル署名とに基づいて、前記第１情報が正当であるか否かを判定し、前記第１情報が正当であると判定した場合、第２情報を前記クライアント端末へ送信する、制御部を備える。
【手続補正５】
【補正対象書類名】特許請求の範囲
【補正対象項目名】全文
【補正方法】変更
【補正の内容】
【特許請求の範囲】
【請求項１】
クライアント端末から受信した第１情報を用いてデジタル署名を生成する第２サーバ装置から送信された前記デジタル署名を受信して前記第１情報とともに送信する前記クライアント端末、と通信可能なサーバ装置であって、
前記クライアント端末より送信された前記第１情報と前記デジタル署名とを受信し、
受信した前記第１情報と前記デジタル署名とに基づいて、前記第１情報が正当であるか否かを判定し、
前記第１情報が正当であると判定した場合、第２情報を前記クライアント端末へ送信する、
制御部を備える、サーバ装置。
【請求項２】
前記制御部は、
前記第１情報が正当ではないと判定した場合、前記第２情報とは異なる第４情報を前記クライアント端末へ送信する、
請求項１記載のサーバ装置。
【請求項３】
前記第２情報は、正当であると判定される前記第１情報に関連付けられた商品の購入者に対して限定的に公開される特典情報である、
請求項１又は２記載のサーバ装置。
【請求項４】
前記第２サーバ装置は、
前記クライアント端末より取得した前記第１情報の正当性を判定し、
前記第１情報が正当であると判定した場合、当該第１情報に基づいて、前記デジタル署名を生成する、
請求項１乃至３いずれか記載のサーバ装置。
【請求項５】
前記第２サーバ装置は、
前記クライアント端末より取得した前記第１情報の正当性を判定することにより、前記第１情報に関連付けられた商品の真贋を判定し、
前記第１情報に関連付けられた商品が本物であると判定した場合、正当性の判定対象である前記第１情報に基づいて、前記デジタル署名を生成する、
請求項３記載のサーバ装置。
【請求項６】
前記第２サーバ装置は、
前記第１情報が正当であると判定した場合、前記第２情報の取得要求を送信するための操作子を表示するためのデータを、前記デジタル署名とともに送信し、
前記クライアント端末は、
前記第２サーバ装置より送信された前記操作子を表示するためのデータを、前記デジタル署名とともに受信し、
受信した前記操作子を表示するためのデータに基づいて、前記操作子を表示し、
表示した前記操作子が操作されたことに応じて、受信した前記第１情報と前記デジタル署名とを送信する、
請求項１乃至３いずれか記載のサーバ装置。
【請求項７】
前記第２サーバ装置は、
前記クライアント端末からのアクセスによって、当該クライアント端末より前記第１情報を取得し、
前記クライアント端末からのアクセスを解析することにより、当該クライアント端末に関連する国及び言語の少なくとも何れかに関する第３情報を取得し、
前記第１情報が正当であると判定した場合、取得した前記第３情報を、前記デジタル署名とともに送信し、
前記クライアント端末は、
前記第２サーバ装置より送信された前記第３情報を、前記第１情報と前記デジタル署名とともに送信し、
前記サーバ装置は、
前記クライアント端末より送信された前記第３情報を、前記第１情報と前記デジタル署名とともに受信し、
前記第１情報が正当であると判定した場合、受信した前記第３情報に対応する前記第２情報を、前記クライアント端末へ送信する、
請求項１乃至６いずれか記載のサーバ装置。
【請求項８】
クライアント端末から受信した第１情報を用いてデジタル署名を生成する第２サーバ装置から送信された前記デジタル署名を受信して前記第１情報とともに送信する前記クライアント端末、と通信可能なサーバ装置が実行する情報処理方法であって、
前記クライアント端末より送信された前記第１情報と前記デジタル署名とを受信し、
受信した前記第１情報と前記デジタル署名とに基づいて、前記第１情報が正当であるか否かを判定し、
前記第１情報が正当であると判定した場合、第２情報を前記クライアント端末へ送信する、
情報処理方法。
【請求項９】
請求項８に記載の情報処理方法をコンピュータに行わせるためのプログラムを記録した記録媒体。
【請求項１０】
サーバ装置と、第２サーバ装置と、クライアント端末とを備える情報処理システムであって、
前記第２サーバ装置は、
前記クライアント端末より送信された第１情報に基づいてデジタル署名を生成し、前記デジタル署名を前記クライアント端末に送信し、
前記クライアント端末は、
前記第１情報を前記第２サーバ装置に送信し、前記第２サーバ装置より送信された前記デジタル署名を受信し、受信した前記デジタル署名を前記第１情報とともに前記サーバ装置に送信し、
前記サーバ装置は、
前記クライアント端末より送信された前記第１情報と前記デジタル署名とを受信し、
受信した前記第１情報と前記デジタル署名とに基づいて、前記第１情報が正当であるか否かを判定し、
前記第１情報が正当であると判定した場合、第２情報を前記クライアント端末へ送信する、
情報処理システム。
【請求項１１】
サーバ装置と、第２サーバ装置と、クライアント端末とを備える情報処理システムでの情報処理方法であって、
前記第２サーバ装置は、
前記クライアント端末より送信された第１情報に基づいてデジタル署名を生成し、前記クライアント端末に送信し、
前記クライアント端末は、
前記第１情報を前記第２サーバ装置に送信し、前記第２サーバ装置より送信された前記デジタル署名を受信し、前記第１情報とともに前記サーバ装置に送信し、
前記サーバ装置は、
前記クライアント端末より送信された前記第１情報と前記デジタル署名とを受信し、
受信した前記第１情報と前記デジタル署名とに基づいて、前記第１情報が正当であるか否かを判定し、
前記第１情報が正当であると判定した場合、第２情報を前記クライアント端末へ送信する、
情報処理方法。
【請求項１２】
第２サーバ装置に第１情報を送信して、
前記第１情報を受信して当該第１情報を用いてデジタル署名を生成する前記第２サーバ装置から送信された前記デジタル署名を受信して、
受信した前記デジタル署名を前記第１情報とともにサーバ装置に送信して、
前記第１情報と前記デジタル署名とを受信して受信した前記第１情報と前記デジタル署名とに基づいて前記第１情報の正当性を判定する前記サーバ装置から送信された第２情報を受信する、
クライアント端末。
【請求項１３】
サーバ装置と、第２サーバ装置と、クライアント端末とを備える情報処理システムでの情報処理方法であって、
前記第２サーバ装置は、
前記クライアント端末より送信された第１情報に基づいてデジタル署名を生成し、前記第１情報に関連付けて前記サーバ装置に送信し、
前記クライアント端末は、
前記第１情報を前記第２サーバ装置と前記サーバ装置にそれぞれに送信し、
前記サーバ装置は、
前記クライアント端末より送信された前記第１情報と前記第２サーバ装置より送信された前記デジタル署名とを受信し、受信した前記第１情報と前記デジタル署名とに基づいて前記第１情報が正当であるか否かを判定し、前記第１情報が正当であると判定した場合、第２情報を前記クライアント端末へ送信する、
情報処理方法。